(57)【要約】 【課題】  記憶手段に記憶される記憶情報のうち不要な記憶情報を簡素な操作で削除することができ、かつ記憶手段を有効に利用することができる携帯型情報処理装置を提供する。【解決手段】  メモリ部１２には、所定の記憶情報が、この記憶情報を記憶したときの記憶時刻を示す記憶時刻情報とともに記憶される。判定手段として機能する制御部１４は、メモリ部１２に記憶されている記憶情報に対して、記憶時刻情報と時刻情報生成手段からの現在時刻情報とに基づいて、記憶時刻から所定時間を経過したか否かを判定する。この判定手段からの判定結果に応答して、経過情報生成手段として機能する制御部１４は、予め定める経過情報を生成する。この予め定める経過情報が、表示部１５によって表示される。これによって予め定める経過情報が、操作者に報知される。【選択図】      図１
2005094692.tif 000002
【特許請求の範囲】
【請求項１】
所定の記憶情報が、この記憶情報を記憶したときの記憶時刻を示す記憶時刻情報とともに記憶される記憶手段と、
現在時刻を示す現在時刻情報を生成する時刻情報生成手段と、
記憶手段に記憶されている記憶情報に対して、記憶時刻情報と時刻情報生成手段からの現在時刻情報とに基づいて、記憶時刻から所定時間を経過したか否かを判定する判定手段と、
判定手段からの判定結果に応答して、記憶手段に記憶されている記憶情報のうち、記憶時刻から所定時間を経過したと判定された記憶情報を示す予め定める経過情報を生成する経過情報生成手段と、
経過情報生成手段からの前記予め定める経過情報を出力する出力手段とを含むことを特徴とする携帯型情報処理装置。
【請求項２】
記憶手段には、記憶手段から記憶情報が読み出されたとき、その読出時刻を示す読出時刻情報が、新たな記憶時刻情報として、前記読み出された記憶情報と関連付けて記憶されることを特徴とする請求項１記載の携帯型情報処理装置。
【請求項３】
前記予め定める経過情報を出力手段に出力させる出力状態、および前記予め定める経過情報を出力手段に出力させない非出力状態のいずれか一方に切換可能であることを特徴とする請求項１または２記載の携帯型情報処理装置。
【請求項４】
前記所定時間は、任意の時間の入力によって設定可能であることを特徴とする請求項１〜３のいずれか１つに記載の携帯型情報処理装置。
【請求項５】
前記所定時間は、記憶情報が記憶手段に記憶されたとき、任意の時間の入力によって設定可能であることを特徴とする請求項１〜４のいずれか１つに記載の携帯型情報処理装置。
【請求項６】
前記所定時間は、記憶情報が記憶手段から読み出されたとき、任意の時間の入力によって設定可能であることを特徴とする請求項１〜５のいずれか１つに記載の携帯型情報処理装置。
【請求項７】
出力手段によって前記予め定める経過情報が出力されたとき、出力された経過情報が示す記憶情報を、少なくとも記憶時刻情報を含む関連情報とともに削除可能であることを特徴とする請求項１〜６のいずれか１つに記載の携帯型情報処理装置。
【請求項８】
前記所定時間は、出力手段によって前記予め定める経過情報が出力されたとき、出力された経過情報が示す記憶情報が削除されなければ、任意の時間の入力によって設定可能であることを特徴とする請求項７記載の携帯型情報処理装置。
【請求項９】
前記記憶情報は、少なくとも、電話番号に関する情報、電子メールアドレスに関する情報、ＵＲＬに関する情報およびソフトウェアに関する情報のいずれか１つを含むことを特徴とする請求項１〜８のいずれか１つに記載の携帯型情報処理装置。
【発明の詳細な説明】
【技術分野】
【０００１】
本発明は、所定の記憶情報が、記憶手段に記憶される携帯型情報処理装置に関し、さらに詳しくは、前記記憶手段に記憶される記憶情報を、操作者が容易に管理することができる携帯型情報処理装置に関する。
【背景技術】
【０００２】
近年の携帯電話機は、相手先の電話番号を予め登録することができる電話帳機能を有し、この電話帳機能に予め登録された電話番号の相手先には、簡素な操作で発信することができる。この種の携帯電話機では、前記電話帳機能を実現するために、記憶手段としてのメモリ部に、短縮ダイヤル情報が記憶される。
【０００３】
図７は、携帯電話機のメモリ部に記憶される短縮ダイヤル情報の一例を示す図である。各短縮ダイヤル情報は、短縮番号に関する情報と、名前に関する情報と、電話番号に関する情報と、登録日時に関する情報とを含む。名前に関する情報および電話番号に関する情報は、所定の記憶情報に相当する。登録日時に関する情報は、記憶時刻情報に相当する。登録日時は、名前に関する情報および電話番号に関する情報をメモリ部に記憶したときの記憶時刻である。
【０００４】
携帯電話機は、携帯型ではない他の情報処理装置に比べて、メモリ部の記憶容量が小さい。このような携帯電話機では、記憶容量の限られたメモリ部を有効に利用するために、メモリ部に記憶される情報のうち不要な情報を削除する必要がある。
【０００５】
短縮ダイヤル情報がメモリ部に記憶される前記携帯電話機では、その携帯電話機の表示部に、前記メモリ部に記憶される各短縮ダイヤル情報の各情報を表示させ、表示されるこれらの各情報を参考にして、各短縮ダイヤル情報が必要か否かを判断し、不要であればその短縮ダイヤル情報を削除することができる（たとえば、特許文献１参照）。
【０００６】
【特許文献１】特開２００１−１３６２６６号公報
【発明の開示】
【発明が解決しようとする課題】
【０００７】
携帯電話機のような携帯型情報処理装置は、他の情報処理装置に比べて、操作部の各操作キーが小さくかつ各操作キーが隣接して設けられるので、操作部の操作が困難である。このような携帯型情報処理装置では、簡単かつ少ない操作で、所望の動作を実行できることが望まれる。ところが、短縮ダイヤル情報がメモリ部に記憶される前記携帯電話機では、不要な短縮ダイヤル情報の削除の際に、メモリ部に記憶される各短縮ダイヤル情報を表示部に表示させるために、操作部の複雑な操作が必要となる。
【０００８】
また短縮ダイヤル情報がメモリ部に記憶される前記携帯電話機では、操作者がメモリ部に記憶される短縮ダイヤル情報を積極的に確認して不要な短縮ダイヤル情報を削除しなければ、不要な短縮ダイヤル情報がメモリ部にたまってしまい、メモリ部を有効に利用することができない。
【０００９】
本発明の目的は、記憶手段に記憶される記憶情報のうち不要な記憶情報を簡素な操作で削除することができ、かつ記憶手段を有効に利用することができる携帯型情報処理装置を提供することである。
【課題を解決するための手段】
【００１０】
本発明は、所定の記憶情報が、この記憶情報を記憶したときの記憶時刻を示す記憶時刻情報とともに記憶される記憶手段と、
現在時刻を示す現在時刻情報を生成する時刻情報生成手段と、
記憶手段に記憶されている記憶情報に対して、記憶時刻情報と時刻情報生成手段からの現在時刻情報とに基づいて、記憶時刻から所定時間を経過したか否かを判定する判定手段と、
判定手段からの判定結果に応答して、記憶手段に記憶されている記憶情報のうち、記憶時刻から所定時間を経過したと判定された記憶情報を示す予め定める経過情報を生成する経過情報生成手段と、
経過情報生成手段からの前記予め定める経過情報を出力する出力手段とを含むことを特徴とする携帯型情報処理装置である。
【００１１】
また本発明は、記憶手段には、記憶手段から記憶情報が読み出されたとき、その読出時刻を示す読出時刻情報が、新たな記憶時刻情報として、前記読み出された記憶情報と関連付けて記憶されることを特徴とする。
【００１２】
また本発明は、前記予め定める経過情報を出力手段に出力させる出力状態、および前記予め定める経過情報を出力手段に出力させない非出力状態のいずれか一方に切換可能であることを特徴とする。
【００１３】
また本発明は、前記所定時間は、任意の時間の入力によって設定可能であることを特徴とする。
【００１４】
また本発明は、前記所定時間は、記憶情報が記憶手段に記憶されたとき、任意の時間の入力によって設定可能であることを特徴とする。
【００１５】
また本発明は、前記所定時間は、記憶情報が記憶手段から読み出されたとき、任意の時間の入力によって設定可能であることを特徴とする。
【００１６】
また本発明は、出力手段によって前記予め定める経過情報が出力されたとき、出力された経過情報が示す記憶情報を、少なくとも記憶時刻情報を含む関連情報とともに削除可能であることを特徴とする。
【００１７】
また本発明は、前記所定時間は、出力手段によって前記予め定める経過情報が出力されたとき、出力された経過情報が示す記憶情報が削除されなければ、任意の時間の入力によって設定可能であることを特徴とする。
【００１８】
また本発明は、前記記憶情報は、少なくとも、電話番号に関する情報、電子メールアドレスに関する情報、ＵＲＬに関する情報およびソフトウェアに関する情報のいずれか１つを含むことを特徴とする。
【発明の効果】
【００１９】
本発明によれば、判定手段によって、記憶手段に記憶されている記憶情報に対して、記憶時刻から所定時間を経過したか否かが判定される。この判定手段からの判定結果に応答して、経過情報生成手段によって、予め定める経過情報が生成される。この予め定める経過情報が、出力手段によって出力される。これによって予め定める経過情報が、操作者に報知される。
【００２０】
このように予め定める経過情報が操作者に報知されるので、操作者は、前記予め定める経過情報が出力手段に出力される度に、出力された経過情報が示す記憶情報が必要か否かを判断して、不要であればその記憶情報を削除することができる。したがって不要な記憶情報を確実に削除することができ、記憶手段を有効に利用することができる。
【００２１】
また前述のように予め定める経過情報が操作者に報知されるので、記憶手段に記憶されている記憶情報のうち不要な記憶情報を削除するにあたって、記憶手段に記憶されている記憶情報を出力手段に出力させるなどして確認するための操作が不要となる。したがって記憶手段に記憶されている記憶情報のうち不要な記憶情報を削除する際の操作が簡素化される。
【００２２】
また本発明によれば、記憶情報が記憶手段から読み出されたとき、記憶手段には、その読出時刻を示す読出時刻情報が新たな記憶時刻情報として、前記読み出された記憶情報と関連付けて記憶される。したがって所定時間よりも短い間隔で記憶手段から読み出される記憶情報に対しては、予め定める経過情報が出力されない。
【００２３】
所定時間よりも短い間隔で記憶手段から読み出される記憶情報は、必要な記憶情報であり、削除されない可能性が高い。本発明では、このような記憶情報に対しては、予め定める経過情報が出力されないので、無駄を少なくすることができる。
【００２４】
さらに本発明によれば、出力状態および非出力状態のいずれか一方に切換可能であるので、予め定める経過情報の報知を操作者が望むときは、出力状態とし、予め定める経過情報の報知を操作者が望まないときは、非出力状態とすることができる。これによって利便性を高くすることができる。
【００２５】
さらに本発明によれば、所定時間は、任意の時間の入力によって設定可能であるので、所定時間を操作者が望む値に設定することができ、利便性を高くすることができる。
【００２６】
さらに本発明によれば、所定時間は、記憶情報が記憶手段に記憶されたとき、任意の時間の入力によって設定可能であるので、記憶時刻からの所定時間を、操作者が望む値に、確実に設定することができる。
【００２７】
さらに本発明によれば、所定時間は、記憶情報が記憶手段から読み出されたとき、任意の時間の入力によって設定可能であるので、読出時刻からの所定時間を、操作者が望む値に、確実に設定することができる。
【００２８】
さらに本発明によれば、出力手段によって予め定める経過情報が出力されたとき、出力された経過情報が示す記憶情報を、関連情報とともに削除可能であるので、記憶手段に記憶されている記憶情報のうち不要な記憶情報を削除する際の操作がさらに簡素化される。
【００２９】
さらに本発明によれば、所定時間は、出力手段によって予め定める経過情報が出力されたとき、出力された経過情報が示す記憶情報が削除されなければ、任意の時間の入力によって設定可能である。したがって出力された経過情報が示す記憶情報が削除されない場合は、経過情報が出力されたときからの所定時間を、操作者が望む値に、確実に設定することができる。
【００３０】
さらに本発明によれば、記憶情報としては、少なくとも、電話番号に関する情報、電子メールアドレスに関する情報、ＵＲＬに関する情報およびソフトウェアに関する情報のいずれか１つが含まれる。本発明では、記憶手段に記憶されている種々の記憶情報について、前述のように予め定める経過情報を操作者に報知することができる。
【発明を実施するための最良の形態】
【００３１】
図１は、本発明の実施の一形態の携帯電話機１１の電気的な構成を示すブロック図である。本実施の形態の携帯電話機１１は、相手先の電話番号に関する情報などを予め登録することができる電話帳機能を有する。この携帯電話機１１は、記憶手段としてのメモリ部１２と、時刻情報生成手段としての計時部１３と、判定手段および経過情報生成手段としての制御部１４と、出力手段としての表示部１５と、操作部１６と、無線部１７と、スピーカ部１８と、音声処理部１９とを含む。
【００３２】
本実施の形態において、メモリ部１２から記憶情報が読み出されたときとは、（１）メモリ部１２に記憶されている電話番号に関する情報に対応する相手先に発信する際に、その相手先の記憶情報がメモリ部１２から読み出されたときと、（２）メモリ部１２に記憶されている電話番号に関する情報に対応する相手先から着信があった際に、その相手先の記憶情報がメモリ部１２から読み出されたときと、（３）後述の予め定める経過情報が生成される際に、その経過情報の生成に必要な記憶情報などがメモリ部１２から読み出されたときとを含む。
【００３３】
メモリ部１２には、制御部１４が携帯電話機１１の各部を制御するために必要なプログラムおよびデータ、ならびにその他のプログラムおよびデータが記憶される。前記その他のプログラムおよびデータとしては、たとえば、電話帳機能を実現するためのプログラムおよび短縮ダイヤル情報（後述の図２参照）などが含まれる。メモリ部１２は、たとえばフラッシュメモリなどの不揮発性メモリによって実現される。本実施の形態において、プログラムとは、コンピュータによって実行可能なソフトウェアプログラムをいう（以下同様）。
【００３４】
このメモリ部１２には、名前に関する情報および電話番号に関する情報が、これらの名前に関する情報および電話番号に関する情報を登録したときの登録日時を示す登録日時に関する情報ならびに所定時間を示す所定時間情報とともに記憶される。名前に関する情報および電話番号に関する情報は、所定の記憶情報に相当する。以下、名前に関する情報および電話番号に関する情報を、記憶情報と記載することがある。登録日時に関する情報は、記憶情報をメモリ部１２に記憶したときの記憶時刻を示す記憶時刻情報に相当する。以下、登録日時に関する情報を、記憶時刻情報と記載することがある。名前に関する情報、電話番号に関する情報、記憶時刻情報および所定時間情報は、前記短縮ダイヤル情報に含まれる。
【００３５】
計時部１３は、現在時刻を示す現在時刻情報を生成する。この計時部１３によって、携帯電話機１１の計時機能を実現することができる。計時部１３は、たとえば水晶発振子およびリアルタイムクロックなどを含んで構成される。
【００３６】
制御部１４は、メモリ部１２に記憶されるプログラムおよびデータに基づいて、携帯電話機１１の各部を制御するとともに、携帯電話機１１の種々の機能を実現することができる。制御部１４は、中央演算処理装置（Central Processing Unit、略称ＣＰＵ）によって実現される。
【００３７】
制御部１４は、判定手段として機能することによって、メモリ部１２に記憶されている記憶情報に対して、記憶時刻情報、所定時間情報、および計時部１３からの現在時刻情報に基づいて、記憶時刻から所定時間を経過したか否かを判定することができる。また制御部１４は、経過情報生成手段として機能することによって、前述の判定結果に応答して、メモリ部１２に記憶されている記憶情報のうち、記憶時刻から所定時間を経過したと判定された記憶情報を示す予め定める経過情報を生成することができる。
【００３８】
表示部１５は、制御部１４からの制御指令に基づく画面を表示することができる。表示部１５は、制御部１４からの前記予め定める経過情報を表示して出力する。表示部１５は、液晶表示装置（Liquid Crystal Display、略称ＬＣＤ）によって実現される。
【００３９】
操作部１６は、キャラクタ情報および指示情報などを入力するための複数の操作キーを有する。キャラクタ情報は、たとえば平仮名、片仮名、漢字、数字、アルファベットおよびその他の記号などの情報を含む。指示情報は、各種のコマンドを含む。操作者が各操作キーを操作することによって、各操作キーに対応する情報を、制御部１４に与えることができる。
【００４０】
無線部１７は、情報通信サービス会社の基地局に対して、情報を送受信することができる。スピーカ部１８は、無線部１７を介して受信した呼出信号に応答した制御部１４からの制御指令に基づいて、呼出音を発生することができる。
【００４１】
音声処理部１９は、デジタル／アナログ（Digital/Analog、略称Ｄ／Ａ）変換部およびアナログ／デジタル（Analog/Digital、略称Ａ／Ｄ）変換部を有する。この音声処理部１９には、図示しないスピーカおよびマイクロフォンが電気的に接続される。音声処理部１９は、Ｄ／Ａ変換部によって、制御部１４からの音声情報を、デジタル信号からアナログ信号に変換して、スピーカに与えることができるとともに、Ａ／Ｄ変換部によって、マイクロフォンからの音声情報を、アナログ信号からデジタル信号に変換して、制御部１４に与えることができる。
【００４２】
図２は、メモリ部１２に記憶される短縮ダイヤル情報を示す図である。短縮ダイヤル情報は、短縮番号に関する情報と、名前に関する情報と、電話番号に関する情報と、登録日時に関する情報と、所定時間情報とを含む。
【００４３】
メモリ部１２には、短縮ダイヤル情報を格納する領域２１が設けられる。短縮ダイヤル情報を格納する領域２１は、短縮番号に関する情報を格納する短縮番号記憶領域２２と、名前に関する情報を格納する名前記憶領域２３と、電話番号に関する情報を格納する電話番号記憶領域２４と、登録日時に関する情報を格納する登録日時記憶領域２５と、所定時間情報を格納する所定時間記憶領域２６と有する。１つの短縮番号に関する情報に対しては、名前に関する情報、電話番号に関する情報、登録日時に関する情報および所定時間情報が、１つずつ関連付けられる。
【００４４】
登録日時は、年月日である。この登録日時は、年月日に限らず、たとえば年月日および時であってもよいし、年月日および時分であってもよいし、年月日および時分秒であってもよい。所定時間は、日単位であり、たとえば１０日間などである。この所定時間は、日単位に限らず、たとえば月単位であってもよいし、週単位であってもよい。
【００４５】
図３は、電話帳機能に短縮ダイヤル情報を登録する処理の手順を説明するためのフローチャートである。図４は、表示部１５に表示される画面を示す図であり、図４（１）は名前に関する情報を入力するときの画面を示し、図４（２）は電話番号に関する情報を入力するときの画面を示し、図４（３）および図４（４）は所定時間情報を入力するときの画面を示す。
【００４６】
ステップａ１で処理が開始されると、ステップａ２では、制御部１４によって、操作者が操作部１６を操作することによるキー入力があるか否かが判断される。このステップａ２は、キー入力があると判断されるまで繰り返される。ステップａ２でキー入力があると判断されると、ステップａ３では、制御部１４によって、キー入力が短縮ダイヤル登録コマンド（以下、「登録コマンド」と記載する）であるか否かが判断される。
【００４７】
ステップａ３でキー入力が登録コマンドでないと判断されると、ステップａ４では、制御部１４は通常動作を行う。ステップａ４において、通常動作は、制御部１４の全ての動作のうち、電話番号に関する情報を電話帳機能に登録するための動作を除く残余の動作であって、キー入力に応じた動作である。通常動作は、たとえば電話発信動作、およびメモリ部１２からの短縮ダイヤル情報の読み出し動作などである。
【００４８】
ステップａ３でキー入力が登録コマンドであると判断されると、ステップａ５では、図４（１）に示す画面が表示部１５に表示される。表示部１５には、たとえば「名前？」などが表示され、名前に関する情報の入力が催促される。このステップａ５で、操作部１６の操作によるキー入力があり、そのキー入力がキャラクタ情報である場合、表示部１５には、そのキー入力に応じたキャラクタが表示される。操作者は、そのキャラクタを確認しつつ、所望の操作キーを操作することができる。
【００４９】
次のステップａ６では、制御部１４によって、キー入力が名前に関する情報の登録を指示する指示情報であるか否かが判断される。ステップａ６でキー入力が名前に関する情報の登録を指示する指示情報でないと判断されると、ステップａ５に戻る。
【００５０】
ステップａ６でキー入力が名前に関する情報の登録を指示する指示情報であると判断されると、制御部１４によって、前述のステップａ５におけるキー入力に応じた名前に関する情報が、メモリ部１２の名前記憶領域２３に格納される。そしてステップａ７では、図４（２）に示す画面が表示部１５に表示される。表示部１５には、たとえば「電話番号？」などが表示され、電話番号に関する情報の入力が催促される。このステップａ７で、操作部１６の操作によるキー入力があり、そのキー入力が数字情報である場合、表示部１５には、そのキー入力に応じた数字が表示される。操作者は、その数字を確認しつつ、所望の操作キーを操作することができる。
【００５１】
次のステップａ８では、制御部１４によって、キー入力が電話番号に関する情報の登録を指示する指示情報であるか否かが判断される。ステップａ８でキー入力が電話番号に関する情報の登録を指示する指示情報でないと判断されると、ステップａ７に戻る。
【００５２】
ステップａ８でキー入力が電話番号に関する情報の登録を指示する指示情報であると判断されると、制御部１４によって、前述のステップａ７におけるキー入力に応じた電話番号に関する情報が、メモリ部１２の電話番号記憶領域２４に格納される。そしてステップａ９では、図４（３）に示す画面が表示部１５に表示される。表示部１５には、たとえば「通知必要？」、「１．ＹＥＳ」および「２．ＮＯ」などが表示される。この段階で操作者は、操作部１６を操作することによって、「１．ＹＥＳ」および「２．ＮＯ」のいずれか一方を選択して確定することができる。「２．ＮＯ」が選択されて確定されると、後述のステップａ１０に移行する。
【００５３】
「１．ＹＥＳ」が選択されて確定されると、図４（４）に示す画面が表示部１５に表示される。表示部１５には、たとえば「通知までの期間？」および「日後」などが表示され、所定時間情報の入力が催促される。この段階で、操作部１６の操作によるキー入力があり、そのキー入力が数字情報である場合、表示部１５には、そのキー入力に応じた数字が表示される。操作者は、その数字を確認しつつ、所望の操作キーを操作することができる。
【００５４】
次のステップａ１０では、制御部１４によって、キー入力が所定時間情報の登録を指示する指示情報であるか否かが判断される。ステップａ１０でキー入力が所定時間情報の登録を指示する指示情報でないと判断されると、ステップａ９に戻る。
【００５５】
ステップａ１０でキー入力が所定時間情報の登録を指示する指示情報であると判断されると、制御部１４によって、前述のステップａ９におけるキー入力に応じた所定時間情報が、メモリ部１２の所定時間記憶領域２６に格納される。そしてステップａ１１では、制御部１４によって、計時部１３からの現在時刻情報が、メモリ部１２の登録日時記憶領域２５に格納される。この後、ステップａ１２で処理が終了される。
【００５６】
図３のフローチャートにおいて、名前に関する情報、電話番号に関する情報、所定時間情報および現在時刻情報は、予め選択された短縮番号に対する名前記憶領域２３、電話番号記憶領域２４、所定時間記憶領域２６および登録日時記憶領域２５にそれぞれ格納される。前記短縮番号は、たとえばステップａ３でキー入力が登録コマンドであると判断されたときに、制御部１４によって選択されてもよいし、操作部１６の操作によるキー入力によって選択されてもよい。
【００５７】
携帯電話機１１は、前述のステップａ９で、図４（３）に示す画面が表示部１５に表示された段階で、「１．ＹＥＳ」が選択されて確定されると、後述の経過情報を表示部１５に出力させる出力状態となり、「２．ＮＯ」が選択されて確定されると、後述の経過情報を表示部１５に出力させない非出力状態となる。このように携帯電話機１１は、出力状態および非出力状態のいずれか一方に切換可能である。
【００５８】
図５は、着信時の処理の手順を説明するためのフローチャートである。図６は、表示部１５に表示される予め定める経過情報を示す図である。図５においては、着信がないときの処理の手順をも示す。
【００５９】
ステップｂ１で処理が開始されると、ステップｂ２では、制御部１４によって、着信があるか否かが判断される。ステップｂ２で着信があると判断されると、ステップｂ３では、制御部１４によって、メモリ部１２に記憶される短縮ダイヤル情報から、前記着信の相手先の電話番号に関する情報が検索される。
【００６０】
次のステップｂ４では、制御部１４によって、前述のステップｂ３の検索の結果に基づいて、前記着信の相手先の電話番号に関する情報に対応する電話番号に関する情報が電話帳機能に既に登録されているか否かが判断される。すなわち前記電話番号に関する情報が、メモリ部１２に既に記憶されているか否かが判断される。ステップｂ４で前記電話番号に関する情報が電話帳機能に登録されてないと判断されると、後述のステップｂ６に移行する。
【００６１】
ステップｂ４で前記電話番号に関する情報が電話帳機能に既に登録されていると判断されると、ステップｂ５では、記憶時刻情報がリセットされる。詳細に述べると、計時部１３からの現在時刻情報が、新たな記憶時刻情報として、前記電話番号に関する情報と関連付けて記憶される。このとき記憶される現在時刻情報は、読出時刻を示す読出時刻情報に相当する。この後、ステップｂ６に移行する。ステップｂ６では、制御部１４は、スピーカ部１８に呼出音を発生させるなどの通常動作を行う。この後、ステップｂ７で処理が終了される。
【００６２】
前記ステップｂ２で着信がないと判断されると、ステップｂ８では、制御部１４によって、メモリ部１２に記憶されている記憶情報に対して、記憶時刻から所定時間を経過したか否かが判定される。このとき制御部１４は、判定手段として機能し、メモリ部１２に記憶されている記憶情報に対して、記憶時刻情報と、所定時間情報と、計時部１３からの現在時刻情報とに基づいて、記憶時刻から所定時間を経過したか否かを判定する。
【００６３】
具体的に説明すると、制御部１４は、メモリ部１２に記憶されている記憶情報に対して、たとえば、記憶時刻情報および計時部１３からの現在時刻情報とに基づいて、記憶時刻からこの判定のときの時刻までの時間を求める。そして制御部１４は、求めた時間と所定時間とを比較し、求めた時間が所定時間未満のときは、記憶時刻から所定時間を経過していないと判定し、求めた時間が所定時間以上のときは、記憶時刻から所定時間を経過したと判定する。
【００６４】
さらに前記ステップｂ８では、制御部１４によって、前述の判定結果に基づいて、記憶時刻から所定時間を経過した記憶情報があるか否かが判定される。ステップｂ８で記憶時刻から所定時間を経過した記憶情報がないと判定されると、ステップｂ７に移行する。
【００６５】
ステップｂ８で記憶時刻から所定時間を経過した記憶情報があると判定されると、制御部１４によって、予め定める経過情報が生成される。このとき制御部１４は、経過情報生成手段として機能し、メモリ部１２に記憶されている記憶情報のうち、記憶時刻から所定時間を経過したと判定された記憶情報を示す予め定める経過情報を生成する。
【００６６】
そしてステップｂ９では、図６に示す画面が表示部１５に表示される。表示部１５には、予め定める経過情報として、記憶時刻から所定時間を経過したと判定された記憶情報およびその記憶情報に関連する記憶時刻情報が表示される。すなわち表示部１５には、名前、電話番号および登録日時などが表示される。表示部１５には、さらに「削除しますか？」、「１．ＹＥＳ」および「２．ＮＯ」などが表示される。この段階で操作者が、操作キーを操作することによって、「１．ＹＥＳ」および「２．ＮＯ」のいずれか一方を選択して確定することができる。
【００６７】
次のステップｂ１０で操作部１６の操作によって「１．ＹＥＳ」が選択されて確定されると、ステップｂ１１では、制御部１４によって、表示部１５に表示された経過情報が示す記憶情報が、関連情報とともに削除される。前記関連情報は、記憶時刻情報および所定時間情報を含む。この後、ステップｂ７に移行する。
【００６８】
ステップｂ１０で操作部１６の操作によって「２．ＮＯ」が選択されて確定されると、ステップｂ１２では、記憶時刻情報がリセットされる。詳細に述べると、計時部１３からの現在時刻情報が、新たな記憶時刻情報として、前記記憶情報と関連付けて記憶される。この後、ステップｂ７に移行する。
【００６９】
以上のように本実施の形態によれば、判定手段として機能する制御部１４によって、メモリ部１２に記憶されている記憶情報に対して、記憶時刻から所定時間を経過したか否かが判定される。この判定手段からの判定結果に応答して、経過情報生成手段として機能する制御部１４によって、予め定める経過情報が生成される。この予め定める経過情報が、表示部１５によって出力される。これによって予め定める経過情報が、操作者に報知される。
【００７０】
このように予め定める経過情報が操作者に報知されるので、操作者は、前記予め定める経過情報が表示部１５に出力される度に、出力された経過情報が示す記憶情報が必要か否かを判断して、不要であればその記憶情報を削除することができる。したがって不要な記憶情報を確実に削除することができ、メモリ部１２を有効に利用することができる。
【００７１】
また前述のように予め定める経過情報が操作者に報知されるので、メモリ部１２に記憶されている記憶情報のうち不要な記憶情報を削除するにあたって、メモリ部１２に記憶されている記憶情報を表示部１５に出力させるなどして確認するための操作が不要となる。したがってメモリ部１２に記憶されている記憶情報のうち不要な記憶情報を削除する際の操作が簡素化される。
【００７２】
また本実施の形態によれば、記憶情報がメモリ部１２から読み出されたとき、メモリ部１２には、その読出時刻を示す読出時刻情報が新たな記憶時刻情報として、前記読み出された記憶情報と関連付けて記憶される。したがって所定時間よりも短い間隔でメモリ部１２から読み出される記憶情報に対しては、予め定める経過情報が出力されない。
【００７３】
所定時間よりも短い間隔でメモリ部１２から読み出される記憶情報は、必要な記憶情報であり、削除されない可能性が高い。本実施の形態では、このような記憶情報に対しては、予め定める経過情報が出力されないので、無駄を少なくすることができる。
【００７４】
さらに本実施の形態によれば、出力状態および非出力状態のいずれか一方に切換可能であるので、予め定める経過情報の報知を操作者が望むときは、出力状態とし、予め定める経過情報の報知を操作者が望まないときは、非出力状態とすることができる。これによって利便性を高くすることができる。
【００７５】
さらに本実施の形態によれば、所定時間は、操作部１６の操作による任意の時間の入力によって設定可能であるので、所定時間を操作者が望む値に設定することができ、利便性を高くすることができる。
【００７６】
さらに本実施の形態によれば、所定時間は、記憶情報がメモリ部１２に記憶されたとき、操作部１６の操作による任意の時間の入力によって設定可能であるので、記憶時刻からの所定時間を、操作者が望む値に、確実に設定することができる。
【００７７】
さらに本実施の形態によれば、所定時間は、記憶情報がメモリ部１２から読み出されたとき、操作部１６の操作による任意の時間の入力によって設定可能であるので、読出時刻からの所定時間を、操作者が望む値に、確実に設定することができる。
【００７８】
さらに本実施の形態によれば、表示部１５によって予め定める経過情報が出力されたとき、出力された経過情報が示す記憶情報を、関連情報とともに削除可能であるので、メモリ部１２に記憶されている記憶情報のうち不要な記憶情報を削除する際の操作がさらに簡素化される。
【００７９】
以上のような本実施の形態は、本発明の一例に過ぎず、本発明の範囲内において、変更してもよい。前述の図３のフローチャートにおいては、名前に関する情報、電話番号に関する情報および所定時間情報の入力の順序を変更してもよい。たとえば名前に関する情報よりも先に電話番号に関する情報が入力されてもよい。
【００８０】
また発信した相手先の電話番号に関する情報を記憶するための所定の記憶領域を、メモリ部１２に設け、前述の図３のフローチャートにおいては、ステップａ７で操作部１６を操作して電話番号に関する情報を入力する代わりに、メモリ部１２の前記所定の記憶領域に記憶されている電話番号に関する情報を、操作部１６を操作して読み出して用いてもよい。
【００８１】
また前述の図３のフローチャートにおいては、登録日時に関する情報は、操作部１６の操作によって入力されてもよい。また登録日時に関する情報が登録される前に、表示部１５に現在時刻が表示され、操作者が現在時刻を確認することができるようにしてもよい。
【００８２】
前述の図５のフローチャートにおいては、ステップｂ５で、所定時間が、任意の時間の入力によって設定されてもよい。この場合は、着信があったときからの所定時間を、操作者が望む値に、確実に設定することができる。
【００８３】
また前述の図５のフローチャートにおいては、ステップｂ１０で、出力された経過情報が示す記憶情報が削除されなければ、ステップｂ１２で、所定時間が、任意の時間の入力によって設定されてもよい。この場合は、経過情報が出力されたときからの所定時間を、操作者が望む値に、確実に設定することができる。
【００８４】
操作者が短縮ダイヤル情報を検索する際には、名前および電話番号とともに、登録日時を表示部１５に表示することができるようにしてもよい。これによって検索時に、操作者が各短縮ダイヤル情報の登録日時を認識することができる。
【００８５】
また操作者が短縮ダイヤル情報を検索する際には、メモリ部１２に記憶されている短縮ダイヤル情報を、名前に関して、５０音順およびアルファベット順のいずれか一方に順次、表示部１５に表示することができるようにしてもよい。
【００８６】
また操作者が短縮ダイヤル情報を検索する際には、メモリ部１２に記憶されている短縮ダイヤル情報を、登録日時に関して、順次、表示部１５に表示することができるようにしてもよい。これによって、たとえば名前を登録したがどのような人物だったか思い出せなくなってしまった短縮ダイヤル情報について、その登録日時および登録日時の前後データに係る人物から、前記短縮ダイヤル情報に係る人物を推量することが可能となる。
【００８７】
また操作者が短縮ダイヤル情報を検索する際には、同一の名前で複数の電話番号の登録が存在する場合には、表示部１５に複数の電話番号を登録日時の順に並べて表示するように構成してもよい。
【００８８】
また操作者が短縮ダイヤル情報を検索する際には、希望する名前の最初の１〜２文字を入力することによって、絞り込んで表示することができるようにしてもよい。また操作者が短縮ダイヤル情報を検索する際には、登録日時の範囲（たとえば、１０月１日から１０月７日まで）を入力することによって、登録日時の範囲内の短縮ダイヤル情報だけを抽出して表示することができるようにしてもよい。
【００８９】
制御部１４は、所定の時間間隔、たとえば１週間毎に、メモリ部１２に記憶されている記憶情報に対して、記憶時刻から所定時間を経過したか否かを判定してもよい。
【００９０】
予め定める経過情報は、スピーカ部１８によって、出力されてもよい。この場合、スピーカ部１８が出力手段に相当する。また予め定める経過情報は、表示部１５およびスピーカ部１８によって出力されてもよい。これによって予め定める経過情報を、操作者に確実に報知することができる。この場合、表示部１５およびスピーカ部１８が出力手段に相当する。
【００９１】
また前述の実施の形態では、名前に関する情報および電話番号に関する情報が所定の記憶情報に相当するが、所定の記憶情報は、必ずしもこれらの情報に限らない。所定の記憶情報は、住所に関する情報であってもよいし、電子メールアドレスに関する情報であってもよいし、ユーアールエル（Uniform Resource Locator、略称ＵＲＬ）に関する情報などであってもよい。また記憶情報は、画像情報および音声情報などであってもよいし、アプリケーションソフトウェアなどのソフトウェアに関する情報などであってもよい。
【００９２】
このように記憶情報としては、少なくとも、電話番号に関する情報、電子メールアドレスに関する情報、画像情報、音声情報、ＵＲＬに関する情報およびソフトウェアに関する情報のいずれか１つが含まれる。メモリ部１２に記憶されている種々の記憶情報について、前述のように予め定める経過情報を操作者に報知することができるように携帯電話機１１が構成されることによって、メモリ部をさらに有効に利用することが可能となる。
【００９３】
また前述の実施の形態では、携帯電話機１１によって携帯型情報処理装置が実現されるが、本発明において、携帯型情報処理装置は、必ずしも携帯電話機１１に限らない。携帯型情報処理装置は、たとえば、携帯電話機などと通信可能に接続して使用する携帯型簡易メール送受信機器、携帯情報端末（Personal Digital Assistant、略称ＰＤＡ）および電子手帳などによって実現されてもよい。
【図面の簡単な説明】
【００９４】
【図１】本発明の実施の一形態の携帯電話機１１の電気的な構成を示すブロック図である。
【図２】メモリ部１２に記憶される短縮ダイヤル情報を示す図である。
【図３】電話帳機能に短縮ダイヤル情報を登録する処理の手順を説明するためのフローチャートである。
【図４】表示部１５に表示される画面を示す図である。
【図５】着信時の処理の手順を説明するためのフローチャートである。
【図６】表示部１５に表示される予め定める経過情報を示す図である。
【図７】携帯電話機のメモリ部に記憶される短縮ダイヤル情報の一例を示す図である。
【符号の説明】
【００９５】
１１  携帯電話機
１２  メモリ部
１３  計時部
１４  制御部
１５  表示部
１６  操作部
１７  無線部
１８  スピーカ部
１９  音声処理部
２１  短縮ダイヤル情報を格納する領域
２２  短縮番号記憶領域
２３  名前記憶領域
２４  電話番号記憶領域
２５  登録日時記憶領域
２６  所定時間記憶領域
【図１】
2005094692.tif 000003
【図２】
2005094692.tif 000004
【図３】
2005094692.tif 000005
【図４】
2005094692.tif 000006
【図５】
2005094692.tif 000007
【図６】
2005094692.tif 000008
【図７】
2005094692.tif 000009